【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
遊技球の始動口への入球に起因して抽出された乱数に基づき大当り抽選を行う主制御装置と、該主制御装置からの通知をもとに複数の演出の中から表示する演出を選択するサブ制御装置とを備える弾球遊技機であって、
前記主制御装置は、
前記乱数の保留記憶を行う保留記憶手段と、
前記保留記憶に係る前記乱数に基づき前記大当り抽選を行う抽選手段と、
前記保留記憶に係る前記乱数に基づく前記大当り抽選が行われる前に、該乱数が特定値か否かを示す先読み判定結果を前記サブ制御装置に通知する先読み制御手段と、
前記保留記憶の発生した旨を前記サブ制御装置に送信する送信手段と、を備え、
前記サブ制御装置は、
前記保留記憶が発生すると、対応する保留図柄を表示する保留図柄表示手段と、
前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、
前記大当り抽選が行われる直前に表示される前記保留図柄である最終図柄の種類を、前記先読み判定結果に応じた確率で選択する最終図柄決定手段と、
前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備え、
前記段階演出手段は、前記保留記憶を対象とした前記変化演出が行われない場合には、抽選により、該保留記憶についての前記先読み判定結果と、該保留記憶に対応して表示される前記保留図柄の種類とに応じた確率で、該保留図柄について前記段階演出を行うか否かを決定し、前記段階演出を予め定められた段階演出タイミングで行うようにし、
前記保留記憶を対象とした前記変化演出が行われない場合において、前記段階演出タイミングが到来しても該保留記憶に対応する前記保留図柄についての前記段階演出が行われないケースを第一ケースとすると共に、前記段階演出タイミングの到来により前記段階演出が行われるケースを第二ケースとし、
前記第一，第二ケースにおいて表示される前記保留図柄の種類が同一である場合には、該第一ケースに係る前記保留記憶により大当りとなる確率は、該第二ケースに係る前記保留記憶により大当りとなる確率以下となるよう設定されていること、
を特徴とする弾球遊技機。
【請求項２】
遊技球の始動口への入球に起因して抽出された乱数に基づき大当り抽選を行う主制御装置と、該主制御装置からの通知をもとに複数の演出の中から表示する演出を選択するサブ制御装置とを備える弾球遊技機であって、
前記主制御装置は、
前記乱数の保留記憶を行う保留記憶手段と、
前記保留記憶に係る前記乱数に基づき前記大当り抽選を行う抽選手段と、
前記保留記憶に係る前記乱数に基づく前記大当り抽選が行われる前に、該乱数が特定値か否かを示す先読み判定結果を前記サブ制御装置に通知する先読み制御手段と、
前記保留記憶の発生した旨を前記サブ制御装置に送信する送信手段と、を備え、
前記サブ制御装置は、
前記保留記憶が発生すると、対応する保留図柄を表示する保留図柄表示手段と、
前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、
前記大当り抽選が行われる直前に表示される前記保留図柄である最終図柄の種類を、前記先読み判定結果に応じた確率で選択する最終図柄決定手段と、
前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備え、
前記段階演出手段は、前記保留記憶を対象とした前記変化演出が行われない場合には、抽選により、該保留記憶についての前記先読み判定結果と、該保留記憶に対応して表示される前記保留図柄の種類とに応じた確率で、該保留図柄について前記段階演出を行うか否かを決定し、前記段階演出を予め定められた段階演出タイミングで行うようにし、
前記変化演出手段は、抽選により、前記保留記憶についての前記先読み判定結果に応じた確率で、該保留記憶を対象とした前記変化演出を行うか否かを選択すると共に、前記変化演出を行う場合には、予め定められた変化演出タイミングで前記一時図柄を前記最終図柄に変化させ、
前記変化演出タイミングが到来しても、前記保留記憶を対象とした前記変化演出が行われず、且つ、前記段階演出タイミングが到来しても、該保留記憶に対応する前記保留図柄についての前記段階演出が行われないケースを第三ケースとすると共に、前記変化演出タイミングの到来により、前記保留記憶を対象とした前記降格となる前記変化演出が行われ、これに伴い、前記段階演出タイミングの到来により、前記段階演出が行われるケースを第四ケースとし、
前記第三ケースにおいて表示される前記保留図柄と、前記第四ケースにおいて前記最終図柄として表示される前記保留図柄との種類が同一である場合において、該第三ケースに係る前記保留記憶により大当りとなる確率は、該第四ケースに係る前記保留記憶により大当りとなる確率以下となるよう設定されていること、
を特徴とする弾球遊技機。
【請求項３】
遊技球の始動口への入球に起因して抽出された乱数に基づき大当り抽選を行う主制御装置と、該主制御装置からの通知をもとに複数の演出の中から表示する演出を選択するサブ制御装置とを備える弾球遊技機であって、
前記主制御装置は、
前記乱数の保留記憶を行う保留記憶手段と、
前記保留記憶に係る前記乱数に基づき前記大当り抽選を行う抽選手段と、
前記保留記憶に係る前記乱数に基づく前記大当り抽選が行われる前に、該乱数が特定値か否かを示す先読み判定結果を前記サブ制御装置に通知する先読み制御手段と、
前記保留記憶の発生した旨を前記サブ制御装置に送信する送信手段と、を備え、
前記サブ制御装置は、
前記保留記憶が発生すると、対応する保留図柄を表示する保留図柄表示手段と、
前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、
前記大当り抽選が行われる直前に表示される前記保留図柄である最終図柄の種類を、前記先読み判定結果に応じた確率で選択する最終図柄決定手段と、
前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備え、
前記段階演出手段は、前記保留記憶を対象とした前記変化演出が行われない場合には、抽選により、該保留記憶についての前記先読み判定結果と、該保留記憶に対応して表示される前記保留図柄の種類とに応じた確率で、該保留図柄について前記段階演出を行うか否かを決定し、前記段階演出を予め定められた段階演出タイミングで行うようにし、
前記変化演出手段は、抽選により、前記保留記憶についての前記先読み判定結果に応じた確率で、該保留記憶を対象とした前記変化演出を行うか否かを選択すると共に、前記変化演出を行う場合には、予め定められた変化演出タイミングで前記一時図柄を前記最終図柄に変化させ、
前記変化演出タイミングの到来により、前記保留記憶を対象とした前記降格となる前記変化演出が行われ、これに伴い、前記段階演出タイミングの到来により、前記段階演出が行われるケースを第五ケースとすると共に、前記変化演出タイミングが到来しても、前記保留記憶を対象とした前記変化演出が行われないが、前記段階演出タイミングの到来により、該保留記憶に対応する前記保留図柄についての前記段階演出が行われるケースを第六ケースとし、
前記第五ケースにおいて前記最終図柄として表示される前記保留図柄と、前記第六ケースにおいて表示される前記保留図柄との種類が同一である場合において、該第五ケースに係る前記保留記憶により大当りとなる確率は、該第六ケースに係る前記保留記憶により大当りとなる確率よりも小さくなるよう設定されていること、
を特徴とする弾球遊技機。
【手続補正２】
【補正対象書類名】明細書
【補正対象項目名】００１２
【補正方法】変更
【補正の内容】
【００１２】
また、サブ制御装置は、前記保留記憶が発生すると、対応する保留図柄を表示する保留図柄表示手段と、前記保留図柄には、表示されたときの大当り確率である信頼度が異なる複数の種類があり、前記保留図柄表示手段により表示された前記保留図柄を異なる種類の前記保留図柄に変化させる変化演出を行う変化演出手段と、前記大当り抽選が行われる直前に表示される前記保留図柄である最終図柄の種類を、前記先読み判定結果に応じた確率で選択する最終図柄決定手段と、前記変化演出において、前記最終図柄の前記信頼度が、該最終図柄が表示される直前に表示される前記保留図柄である一時図柄の前記信頼度よりも低い降格となる場合には、前記一時図柄が前記最終図柄に変化する前に前記保留図柄が変化する可能性があることを示す段階演出を常に行うほか、前記変化演出の対象でないいずれかの前記保留記憶に対応する前記保留図柄についても所定確率で前記段階演出を行う段階演出手段と、を備える。
【手続補正３】
【補正対象書類名】明細書
【補正対象項目名】００２０
【補正方法】変更
【補正の内容】
【００２０】
また、変化演出手段は、抽選により、保留記憶についての先読み判定結果に応じた確率で、該保留記憶を対象とした変化演出を行うか否かを選択すると共に、変化演出を行う場合には、予め定められた変化演出タイミングで一時図柄を最終図柄に変化させても良い。